(57)【要約】【課題】      大小の足の指位置を、爪切りをしやすい位置に固定する足の爪切り台を提供する。【解決手段】  斜設面下方に、該斜設面を斜面に沿って上下する踵当て板は足の大きさに合わせ足を固定し、且つ指位置は爪切り作業をしやすくする。【選択図】図７
2020081818.tif 000002
【特許請求の範囲】
【請求項１】
開口部を下に、バケツ状容器の３０°以上の角度をつけた底を斜設面とし、該斜設面上に設けた足を固定する筐体の踵固定器は該斜設面を斜面に沿って上下に移動する上部踵当て板と該斜設面に固着する下部固定板で構成され、それぞれは幅中央に上下で内接する波状固定面又はラック固定面が互いに向かい合い接触噛合、かつ該上部踵当て板を持ち上げた時、該下部固定板とは当該踵固定器幅中央においてそれぞれが接している該波状固定面又は該ラック固定面は離脱、該上部踵当て板は持ち上げた状態で該斜設面を斜面に沿って上下に移動出来る。又上下に二分した筐体の該踵固定器は該上部踵当て板幅両端それぞれを下に向け垂設し更に内に曲げ凹陥部とし、かつ該下部固定板は幅中央にある該波状固定面又は該ラック固定面を挟んでそれぞれ上に向け設けた凸起上部を外側に向け側端とし、該上部踵当て板の該凹陥部にそれぞれ向きの異なる該下部固定板の凸起該側端は挿入して制限ガイドとなり外れない一体の該踵固定器を形成し、かつ該斜設面中央に手持ち穴を備えた事を特徴とする足の爪切り台。
【請求項２】
足の爪切り台の開口部に出し入れ可能な且つ腰かけ面に取り出しの穴を設けた腰掛けは、該足の爪切り台側面両側に上下に向け設けた凹溝に同調する凹溝を設け、該足の爪切り台該腰掛けそれぞれに於いて内側は突条になり、該足の爪切り台と該腰掛けの凹溝は出し入れの位置決めをなし、且つ該足の爪切り台下側端凹溝において内側に張りだす突条を大きくし該足の爪切り台突条と該腰掛け凹溝が重ね止まる時固着を確かにする請求項１記載の足の爪切り台。
【発明の詳細な説明】
【技術分野】
【０００１】  本発明は、足の指位置を斜設面端に適合させ、足を固定する爪切り台に関するものである。
【背景技術】
【０００２】  お年寄りを腰掛けに掛けさせ、腰を低くした作業者の膝の上に足を置き、又は低い台の上に置かれた足を、作業者の爪切り具を持たない他方の手による押さえだけで、作業を続けることは手のゆらぎを考慮すると安全に爪を切る上で問題があった。【０００３】  足の指の爪切りで、足を載せる台は作業性、安全性、衛生面で多く役だっている。特にお年寄りの世話を担っている作業者の負担の軽減に寄与することが多い。又お年寄りの爪は硬く、変形も多い。お年寄りを預かる施設において作業の流れは風呂上がりに爪切りをすることが多く、作業者に求められるのは多種多様の作業の中で寸時に手際よくこなすことである。【０００４】  又足の爪切りは、足を固定し指位置を決め、風呂上がりであればよく、作業をするタイミングと作業できる場所等は予め決めておき、足を載せる台等が求められる。
【先行技術文献】
【特許文献】
【０００５】
【特許文献１】特開２００４−４３６
【発明の概要】
【発明が解決しようとする課題】
【０００６】  解決しようとする問題点は、爪切り作業のタイミングがとりづらく作業順位が低い点であり、足の爪切り作業が遅れがちで後回しになっている。多くの作業の中に容易に組みいれる事が出来る一端として足の爪切り台を提供することを課題とする。
【課題を解決するための手段】
【０００７】  本発明は、開口部を下に、バケツ状容器の３０°以上の角度を付けた底を斜設面とし、該斜設面上に設けた足を固定する踵固定器は該斜設面を斜面に沿って上下に移動する上部踵当て板を足の大きさに合わせ踵の位置を以て停止し足を固定、かつ足の指位置は爪切りをしやすい該斜設面端にし、尚かつ足の爪切り台に内挿した腰掛けの高さは低めにし（約３０ｃｍ）作業に合わせた事を最も主要な特徴とする。
【発明の効果】
【０００８】  本発明は、お年寄りを腰かけさせ（多くのソファの高さは約３０〜４０ｃｍ）ほぼ同じ高さで傾斜のある斜設面に置いた足は、腰かけた姿勢から足の底面は該斜設面に密着し、かつ斜面下にさがる足を踵固定器の踵当て板が固定を助け作業者の添える手も必要なく専ら爪を切る指を押さえる事が出来る。【０００９】  足の爪切り台開口部から取り出す腰掛けは、該足の爪切り台より低く、低い位置での作業において腰掛けに腰を下ろすことで安定した体位を保ち安全に爪切り作業ができる。
【図面の簡単な説明】
【００１０】
【図１】  足の爪切り台の正面図である。（実施例１）
【図２】  足の爪切り台の平面図である。
【図３】  足の爪切り台の図２のＡ−Ａ断面拡大図である。（実施例２）
【図４】  足の爪切り台の図２のＢ−Ｂ断面拡大図である。（実施例３）
【図５】  足の爪切り台の図７の分解斜視図（踵固定器）である（実施例４）。
【図６】  足の爪切り台の図７の分解斜視図（足の爪切り台と腰掛け）である。
【図７】  足の爪切り台の斜視図である。
【発明を実施するための形態】
【００１１】  足の大小を問わず足を固定し指位置を決め、作業性を良くするという目的を斜設面２上におおいて踵固定器１１が実現し、更に足の爪切り台１開口部９より内挿されている腰掛け２１は無理な作業の姿勢を正した。
【実施例１】
【００１２】  図１は、本発明装置の１実施例の正面図であって、斜設面２上の踵固定器１１は定位置にあり、該斜設面２上を踵固定器１１の上部踵当て板１２は斜面に沿って上下に移動し足の大きさに合わせ調節が出来る。又接地面にある腰掛け２１は足の爪切り台１開口部９より内挿され、かつ該足の爪切り台１側面両側に設けた凹溝４は内挿した腰掛け２１に同調する凹溝２４を設けてある。尚かつ図２平面図の、斜設面２上にある手持ち穴３に手を入れ該足の爪切り台１と該腰掛け２１は一体となっており共に持ち運ぶ事が出来る。
【実施例２】
【００１３】  図３は、図２のＡ−Ａ断面拡大図であり足の爪切り台１斜設面２上にある踵固定器１１の上部踵当て板１２と下部固定板１３および内挿した腰掛け２１であって、該踵固定器１１は上下それぞれの波状固定面又はラック固定面１９が噛合し係止され、かつ重なり合った足の爪切り台１と腰掛け２１は接地面からの角度に差を設け腰掛け２１の角度を少なくし上方において隙間があり、勘合している足の爪切り台１、腰掛け２１の取り出し穴２３に手をそえ引き出すことで容易に腰掛け２１を取り出す事ができる。
【実施例３】
【００１４】  更に図４は、図２のＢ−Ｂ断面拡大図であって踵固定器１１の上下に二分した筐体の該上部踵当て板１２と該下部固定板１３が上下に分解出来ない踵固定器１１を形成し、足の爪切り台１に固設した状態を示している。
【実施例４】
【００１５】  図５、図６は足の爪切り台１を構成している要部で、図５の上部踵当て板１２幅両端それぞれを下に向け垂設し更に内に曲げ凹陥部１５とし、かつ下部固定板１３の幅中央にある該波状固定面又は該ラック固定面を挟んでそれぞれ上に向け設けた凸起は上部を外側に向け側端１６とし、該上部踵当て板１２の該凹陥部１５にそれぞれ向きの異なる該側端１６を挿入踵固定器１１が形成され、かつ該踵固定器１１は足の爪切り台１の斜設面２に着設される。更に足の爪切り台１と腰掛け２１の側面両側にある同調した凹溝４または凹溝２４は出し入れ時の位置決めとなり、該足の爪切り台１該腰掛２１それぞれの凹溝は内側に於いて突条になり、かつ該足の爪切り台１下側端凹溝において内側に張りだす突条を大きくし該足の爪切り台１突条と該腰掛け２１の凹溝２４が重ね止まる時固着を確かにし、重ね合う足の爪切り台１腰掛け２１において手持ち穴３に手を入れ持ち運ぶ事が出来る。図６は、足の爪切り台１腰掛け２１それぞれの分解斜視図を示している。
【産業上の利用可能性】
【００１６】  軽量小型、単純な構造で（例えば特許文献１参照）、足の爪切り台１と腰掛け２１は一体となっており持ち運びが容易であることは作業に於いてタイミング、場所等に対応出来やすく寸時に手際よく作業が出来る。【００１７】  足の爪切り台１に内挿された腰掛け２１は作業者の無理な姿勢から解放しかつ作業性を良くし安全に爪切り作業ができ、更に足の手入れに活用は多い。【００１８】  プラスチック成形に適した製品で部品数は少なく、大きさは１０Ｌのバケツほどで一般家庭においても負担は軽い。
【符号の説明】
【００１９】  １      足の爪切り台
２      斜設面
３      手持ち穴
４      凹溝（足の爪切り台）
９      開口部
１１    踵固定器
１２    上部踵当て板
１３    下部固定板
１５    凹陥部
１６    側端
１９    波状固定面又はラック固定面
２１    腰掛け
２３    取り出し穴
２４    凹溝（腰掛け）
【図１】
2020081818.tif 000003
【図２】
2020081818.tif 000004
【図３】
2020081818.tif 000005
【図４】
2020081818.tif 000006
【図５】
2020081818.tif 000007
【図６】
2020081818.tif 000008
【図７】
2020081818.tif 000009
【手続補正書】
【提出日】平成31年4月19日(2019.4.19)
【手続補正１】
【補正対象書類名】特許請求の範囲
【補正対象項目名】請求項１
【補正方法】変更
【補正の内容】
【請求項１】
開口部を下に、バケツ状容器の３０°以上の角度をつけた底を斜設面とし、該斜設面上に設けた足を固定する筐体の踵固定器は該斜設面を斜面に沿った上下に移動する上部踵当て板と該斜設面に固着する下部固定板で構成され、該下部固定板上面幅中央に設けた波状固定面又はラック固定面を挟んで両側それぞれ上に向け設けた凸起上部を外側に向け側端とし、該上部踵当て板下面幅中央に設けた波状固定面又はラック固定面を挟んで幅両端それぞれを下に向け垂設し且つ内に曲げ凹陥部とし、該上部踵当て板の凹陥部は、該斜設面に固着した該下部固定板の側端を該斜設面の斜面下方から抱き込むように挿入し制限ガイドとなり、該斜設面の斜面に対し垂直に外れない一体の該固定器を形成し、且つ該下部固定板と該上部踵当て板にそれぞれに設けてある該波状固定面又はラック固定面が接触噛合し該斜設面を斜面に沿った上下の移動は停止し、尚且つ該上部踵あて板を該斜設面の斜面に垂直に持ち上げた状態で該斜設面を斜面に沿った上下に移動出来更に該斜設面中央に手持ち穴を設けた事を特徴とする足の爪切り台。
【手続補正２】
【補正対象書類名】特許請求の範囲
【補正対象項目名】請求項２
【補正方法】変更
【補正の内容】
【請求項２】
足の爪切り台の開口部に出し入れ可能な且つ腰かけ面中央に取り出し穴を設けた腰掛けを有し、該足の爪切り台側面両側に沿った上下に向け設けた凹溝と、開口部に出し入れ可能な腰掛けは同調する凹溝を設け、且つ該足の爪切り台と該腰掛けそれぞれに於いて内側は突条になり、該足の爪切り台内側の突条と該腰掛けの凹溝は出し入れの位置決めとなり、且つ該足の爪切り台開口部端凹溝において短区間内側に張りだす突条を大きくし該足の爪切り台の突条と腰掛けの凹溝が重ね進み止まる時固着を確かにする事を特徴とする請求項１記載の足の爪切り台。